(57)【特許請求の範囲】
【請求項１】
充電器等の電気機器に具備される電源コードの配設構造であって、
筐体ケースには、前記電源コードを引き出すための引出し孔が設けられており、
前記引出し孔の開口形状のうち少なくとも互いに対向する位置関係にあり且つ前記電源コードの引っ張り荷重を支持する支持部位同士は、該引出し孔から引き出される前記電源コードの引出し中心線を対称中心にして、互いに相違する非対称形状を有して形成されており、
前記支持部位は、前記引出し孔の開口形状の内周部分に位置する内周支持部位を含んで設定されており、
前記内周支持部位同士は、内側に突出する突起部を一方の該内周支持部位に設けることにより、互いに相違する非対称形状をなしていることを特徴とする電源コードの配設構造。
【請求項２】
請求項１に記載の電源コードの配設構造において、
前記支持部位は、前記引出し孔の開口形状の出口部分に位置する出口支持部位を含んで設定されており、
前記出口支持部位同士は、該出口支持部位同士の開き形状を互いに相違する形状に設定することにより、互いに相違する非対称形状をなしていることを特徴とする電源コードの配設構造。
【請求項３】
請求項２に記載の電源コードの配設構造において、
前記出口支持部位同士の開き形状は、互いの開口端縁同士を互いに相違する曲率半径に設定することにより、互いに相違する非対称形状をなしており、
前記突起部は、前記曲率半径の小さい開口端縁側の内周支持部位に設けられていることを特徴とする電源コードの配設構造。
【請求項４】
請求項１から請求項３のいずれかに記載の電源コードの配設構造において、
前記引出し孔の内部側の前記筐体ケースには、前記電源コードを保持するコード保持部が設けられており、
前記コード保持部には、前記電源コードの経路が複数回屈曲するようにコード経路壁が設けられ、該コード経路壁により複数回屈曲する経路を該電源コードに辿らせることによって前記引出し孔からの該電源コードの引出し方向への移動を規制して該電源コードを保持することを特徴とする電源コードの配設構造。
【請求項５】
請求項４に記載の電源コードの配設構造において、
前記コード経路壁の上側端縁は、前記経路を辿らせた前記電源コードの平面状の両側面の高さ位置よりも高い位置にて設定されていることを特徴とする電源コードの配設構造。
【発明の詳細な説明】
【技術分野】
【０００１】
本発明は、充電器等の電気機器に具備される電源コードの配設構造に関する。
【背景技術】
【０００２】
従来、例えば充電器等の電気機器にあっては、例えば家庭用電源等の外部電源コンセントに接続して電力を供給するものが知られている。このような電気機器は、外部電源コンセントに接続するための給電用の電源コード（電気コードとも称される）を具備して構成される。この電源コードは、筐体内部から筐体外部に引き出すように配設される。このため、このような筐体をなす筐体ケースには、筐体内部から筐体外部に電源コードを引き出すための引出し孔が設けられている（例えば、特許文献１参照）。この特許文献１にて開示される電源コードを引き出すための引出し孔は、筐体ケースの側壁部分を単に穿つようにして設けられるものとなっている。
【先行技術文献】
【特許文献】
【０００３】
【特許文献１】実公平３−４１５０４号公報
【発明の概要】
【発明が解決しようとする課題】
【０００４】
一方、上記した電源コードは、例えば電源コードを外部電源コンセントに接続している場合や、不使用時に筐体ケースに電源コードを巻き付けるような場合に、上記した筐体ケースの引出し孔の開口方向と交差する方向に引っ張られることがある。このような場合には、引出し孔から引き出される電源コードは、筐体ケースの引出し孔を支持点にして屈曲する。つまり、引っ張られる電源コードの引っ張り荷重は支持点となる引出し孔にかけられ、この支持点となる引出し孔にて電源コードは屈曲する。なお、電源コードは、作用反作用の法則により、この支持点となる引出し孔から引っ張り荷重に相当する反作用力を受けることとなる。
他方、上記したように引っ張られる電源コードは、一方向だけではなく、複数方向に向けて引っ張られる。例えば、地面や台に載置して使用する充電器の電源コードにあっては、筐体ケースに設けられた引出し孔の開口方向と交差する方向のうち、水平方向に沿った充電器前後方向の両方向（引出し孔の配設位置によっては充電器左右方向の両方向）に向けて引っ張られる。
このため、電源コードは、支持点となる引出し孔から上記した反作用力となる引っ張り荷重を、この引っ張られる複数方向に応じて受けることとなる。この際、引出し孔から受ける引っ張り荷重の作用点は、いずれの引っ張られる方向においても電源コードに対して集中するものとなる。そうすると、電源コードは、荷重の作用点の集中により金属疲労してしまって、電源コードとしての劣化時期を早めてしまうこととなる。
【０００５】
本発明は、このような事情に鑑みなされたものであって、本発明が解決しようとする課題は、充電器等の電気機器に具備される電源コードの配設構造であって、筐体ケースに設けられた引出し孔を支持点として電源コードが複数方向に屈曲する場合に、この屈曲による電源コードの劣化時期を遅らせて電源コードの使用寿命を延ばすことにある。
【課題を解決するための手段】
【０００６】
上記した課題を解決するにあたって、本発明に係る電源コードの配設構造は次の手段を採用する。
すなわち、本発明の第１の発明に係る電源コードの配設構造は、充電器等の電気機器に具備される電源コードの配設構造であって、筐体ケースには、前記電源コードを引き出すための引出し孔が設けられており、前記引出し孔の開口形状のうち少なくとも互いに対向する位置関係にあり且つ前記電源コードの引っ張り荷重を支持する支持部位同士は、該引出し孔から引き出される前記電源コードの引出し中心線を対称中心にして、互いに相違する非対称形状を有して形成されていることを特徴とする。
【０００７】
この第１の発明に係る電源コードの配設構造によれば、引出し孔の開口形状のうち互いに対向する位置関係にある支持部位が、電源コードの引っ張り荷重を支持する。このため、電源コードは、作用反作用の法則により、これらの支持部位から引っ張り荷重に相当する反作用力を受ける。ここで、これらの支持部位同士は、電源コードの引出し中心線を対称中心にして互いに相違する非対称形状を有して形成されているので、電源コードを相違する引っ張り方向で引っ張った場合には、電源コードにおける支持部位から受ける引っ張り荷重（反作用力）の作用点の位置は、互いに重なることなく相違する位置にずらされたものとなる。なお、この引っ張り方向としては、例えば前後あるいは左右のような正逆方向（正方向、正方向と反対の逆方向）で引っ張られる場合等が挙げられる。これによって、電源コードが受ける引っ張り荷重（反作用力）が作用する作用点の位置を、一点に集中しないように分散することができ、電源コードが金属疲労してしまうのを抑制できる。もって、筐体ケースに設けられた引出し孔を支持点として電源コードが複数方向に屈曲する場合に、この屈曲による電源コードの劣化時期を遅らせることができて、電源コードの使用寿命を延ばすことができる。
【０００８】
第２の発明に係る電源コードの配設構造は、前記第１の発明に係る電源コードの配設構造において、前記支持部位は、前記引出し孔の開口形状の出口部分に位置する出口支持部位を含んで設定されており、前記出口支持部位同士は、該出口支持部位同士の開き形状を互いに相違する形状に設定することにより、互いに相違する非対称形状をなしていることを特徴とする。
この第２の発明に係る電源コードの配設構造によれば、出口支持部位同士は、出口支持部位同士の開き形状を互いに相違する形状に設定することにより、互いに相違する非対称形状をなしている。これにより、電源コードを相違する引っ張り方向で引っ張った場合には、電源コードにおける出口支持部位から受ける引っ張り荷重の作用点の位置を互いに重ねることなく相違する位置にずらすことができる。なお、この非対称形状は筐体ケースの成形時に形成できるので、電源コードが受ける引っ張り荷重の作用点集中を避けるにあたって、引出し孔の外部形状を調整するだけで簡単に設計することができる。
【０００９】
第３の発明に係る電源コードの配設構造は、前記第１または前記第２の発明に係る電源コードの配設構造において、前記支持部位は、前記引出し孔の開口形状の内周部分に位置する内周支持部位を含んで設定されており、前記内周支持部位同士は、内側に突出する突起部を一方の該内周支持部位に設けることにより、互いに相違する非対称形状をなしていることを特徴とする。
この第３の発明に係る電源コードの配設構造によれば、内周支持部位同士は、内側に突出する突起部を一方の内周支持部位に設けることにより、互いに相違する非対称形状をなしている。これにより、電源コードを相違する引っ張り方向で引っ張った場合には、電源コードにおける内周支持部位から受ける引っ張り荷重の作用点の位置を互いに重ねることなく相違する位置にずらすことができる。つまり、この突起部は、引出し孔から引き出される電源コードの経路をずらすように作用することができ、この経路のずれによって電源コードにおける引っ張り荷重の作用点の位置を互いに重ねることなく相違する位置にずらすことができる。なお、この非対称形状は筐体ケースの成形時に形成できるので、電源コードが受ける引っ張り荷重の作用点集中を避けるにあたって、引出し孔の内部形状を調整するだけで簡単に設計することができる。
【００１０】
第４の発明に係る電源コードの配設構造は、前記第２の発明に従属して構成される前記第３の発明に係る電源コードの配設構造において、前記出口支持部位同士の開き形状は、互いの開口端縁同士を互いに相違する曲率半径に設定することにより、互いに相違する非対称形状をなしており、前記突起部は、前記曲率半径の小さい開口端縁側の内周支持部位に設けられていることを特徴とする。
この第４の発明に係る電源コードの配設構造によれば、出口支持部位同士の開き形状は、互いの開口端縁同士を互いに相違する曲率半径に設定することにより互いに相違する非対称形状をなしている。これにより、電源コードを相違する引っ張り方向で引っ張った場合には、電源コードにおける出口支持部位から受ける引っ張り荷重の作用点の位置は、曲率半径の相違によって互いに重なることなく相違する位置にずらされたものとなる。また、この第４の発明に係る電源コードの配設構造によれば、突起部は曲率半径の小さい開口端縁側の内周支持部位に設けられているので、曲率半径が小さいことにより鋭角に屈曲する電源コードの屈曲経路を突起部により緩やかな経路にずらすことができる。これによって、屈曲経路を緩やかな経路とすることができ、電源コードにおける引っ張り荷重の作用点の位置を、互いに重ねることなく相違する位置にずらすことができる。
【００１１】
第５の発明に係る電源コードの配設構造は、前記第１から前記第４のいずれかの発明に係る電源コードの配設構造において、前記引出し孔の内部側の前記筐体ケースには、前記電源コードを保持するコード保持部が設けられており、前記コード保持部には、前記電源コードの経路が複数回屈曲するようにコード経路壁が設けられ、該コード経路壁により複数回屈曲する経路を該電源コードに辿らせることによって前記引出し孔からの該電源コードの引出し方向への移動を規制して該電源コードを保持することを特徴とする。
この第５の発明に係る電源コードの配設構造によれば、コード保持部には電源コードの経路が複数回屈曲するようにコード経路壁が設けられているので、コード経路壁により複数回屈曲する経路を電源コードに辿らせることによって引出し孔からの電源コードの引出し方向への移動を規制して電源コードを保持することができる。これによって、筐体ケースに対して電源コードをクランプするクランプ部材を必要とせずに、筐体ケースに対する電源コードの抜けを防止することができる。もって、製造上の構成部品点数の削減を図ることができる。
【００１２】
第６の発明に係る電源コードの配設構造は、前記第５の発明に係る電源コードの配設構造において、前記コード経路壁の上側端縁は、前記経路を辿らせた前記電源コードの平面状の両側面の高さ位置よりも高い位置にて設定されていることを特徴とする。
この第６の発明に係る電源コードの配設構造によれば、コード経路壁の上側端縁は、経路を辿らせた電源コードの平面状の両側面の高さ位置よりも高い位置にて設定されているので、コード経路壁が電源コードの両側面に接面することができ、電源コードを所望の経路上において保持し易くする。これによって、分割構成体を合体させることにより筐体ケースを構成する場合であっても、これら分割構成体の合体時に電源コードが噛み込まれる（ピンチング）ような、電源コードが分割構成体の間に挟み込まれてしまうのを防止することができる。もって、製造作業時の利便性を高めることができる。
【発明の効果】
【００１３】
第１の発明に係る電源コードの配設構造によれば、屈曲による電源コードの劣化時期を遅らせることができて、電源コードの使用寿命を延ばすことができる。
第２の発明に係る電源コードの配設構造によれば、電源コードにおける出口支持部位から受ける引っ張り荷重の作用点の位置を互いに重なることなく相違する位置にずらせる。
第３の発明に係る電源コードの配設構造によれば、電源コードにおける内周支持部位から受ける引っ張り荷重の作用点の位置を互いに重なることなく相違する位置にずらせる。
第４の発明に係る電源コードの配設構造によれば、屈曲経路を緩やかな経路とすることができ、電源コードにおける引っ張り荷重の作用点の位置を、互いに重なることなく相違する位置にずらすことができる。
第５の発明に係る電源コードの配設構造によれば、製造上の構成部品点数の削減を図ることができる。
第６の発明に係る電源コードの配設構造によれば、製造作業時の利便性を高めることができる。
【図面の簡単な説明】
【００１４】
【図１】電気機器としての充電器を示す外観斜視図である。
【図２】電源コードが取り付けられた底蓋部材を示す底蓋部材の斜視図である。
【図３】電源コードが取り付けられた底蓋部材を示す底蓋部材の上面図である。
【図４】電源コードが外された底蓋部材の引出し孔周辺を示す拡大斜視図である。
【図５】電源コードが外された底蓋部材の引出し孔周辺を示す拡大上面図である。
【図６】第１の実施の形態の電源コードにおける荷重作用点を示す模式図である。
【図７】第２の実施の形態の電源コードにおける荷重作用点を示す模式図である。
【図８】第３の実施の形態の電源コードにおける荷重作用点を示す模式図である。
【図９】第４の実施の形態の電源コードにおける荷重作用点を示す模式図である。
【図１０】電源コードにおける従来の荷重作用点を示す模式図である。
【発明を実施するための形態】
【００１５】
［第１の実施の形態］
以下に、本発明に係る電気機器に具備される電源コードの配設構造を実施するための第１の実施の形態について、図面を参照しながら説明する。なお、以下に説明する実施の形態の電源コードの配設構造Ｓ１は、電源コードが具備される電気機器として充電器を例示して説明するものである。図１は、この電気機器としての充電器１０の外観を斜視にて示している。なお、以下の説明においては、バッテリパックＢの装着する方向に基づいて『上下前後左右』の方向を図示して規定している。つまり、充電器１０のうち、バッテリパックＢの装着側を上側として規定しており、バッテリパックＢを装着させるにあたりスライドさせる方向を前側として規定している。なお、図１に示すバッテリパックＢは、例えば手持ち式の充電式ドライバに代表される電動工具の電源として、電動工具の工具本体に装着可能に構成されるものである。図１に示す充電器１０は、上記したようにバッテリパックＢを充電するための専用の充電器である。
充電器１０は、この充電器１０の外装もなす筐体としての筐体ケース１１を備える。この筐体ケース１１の内部には、充電器として機能するための各種の電気部品が装置される。この筐体ケース１１は、筐体ケース上面および筐体ケース側面を構成する筐体ケース本体１３と、筐体ケース底面を構成する底蓋部材２０とを備える。つまり、筐体ケース１１は、分割構成体となる筐体ケース１１と底蓋部材２０とを合体させることにより構成される。ここで、これら筐体ケース本体１３および底蓋部材２０は、例えばＰＰＥ（ポリフェニレンエーテル）樹脂等をプラスチック樹脂を材料として成形することにより形成される。また、筐体ケース本体１３の上面略半分左側には、バッテリパックＢをスライド装着させるためのバッテリ装着部１５が形成されている。このバッテリ装着部１５は、筐体ケース本体１３を形成する際の樹脂の成形時に、筐体ケース本体１３の一部として一体成形されて形成されている。
【００１６】
ところで、充電器１０は、電気機器として利用するために家庭用電源となる外部電源から電力供給されるように構成される。このため、充電器１０には、内蔵される電気部品に電力を供給するための電源コード５０が設けられている。また、筐体ケース１１には、この電源コード５０を引き出すための引出し孔３０が設けられている。この引出し孔３０は、筐体ケース１１の外側面（外装面）１２に面して筐体ケース１１の内外を連通させる孔にて形成されている。この引出し孔３０は、筐体ケース１１内部の電気部品に接続される電源コード５０を筐体ケース１１外部に引き出すために設けられる。この筐体ケース１１外部に引き出された電源コード５０は、外部の家庭用電源コンセントに接続される。
この引出し孔３０は、図１に示すように、筐体ケース本体１３および底蓋部材２０の双方に跨って形成されているが、主として底蓋部材２０に対して設けられている。具体的には、引出し孔３０は、底蓋部材２０に対して設けられた引出し孔本体３１と、筐体ケース本体１３に対して設けられた引出し孔上部４７とを備える。つまり、筐体ケース本体１３に底蓋部材２０を合体させて筐体ケース１１とした場合には、この底蓋部材２０の引出し孔本体３１に筐体ケース本体１３の引出し孔上部４７が合体して引出し孔３０を構成するものとなっている。
なお、図１に示す筐体ケース本体１３に設けられる引出し孔上部４７は、この引出し孔３０のうち引出し孔３０の上部開口を閉じる形状を有して形成されており、この引出し孔３０の機能的な形状としては、底蓋部材２０に設けられる引出し孔本体３１にて構成されるものとなっている。
【００１７】
図２および図３は、電源コード５０が取り付けられた底蓋部材２０を示しており、図４および図５は、電源コード５０が外された底蓋部材２０の引出し孔３０周辺を拡大して示している。また、図２および図４は、斜視にて底蓋部材２０を示しており、図３および図５は、上面視にて底蓋部材２０を示している。なお、図２および図３における電源コード５０は、全体図示を分かり易くするために電源コードの配設構造Ｓ１に関する部分のみを図示している。
ところで、この筐体ケース１１から引き出される電源コード５０は、図２および図３に示すように、いわゆる平型の２芯電気コードによって構成される。この平型の２芯電気コードは、一般的に広く利用される構造であり、並列の２芯を被覆する構造にて形成されている。このため、この電源コード５０は、並列の２芯の曲がり経路長が互いに同じ経路長となるような、並列する２芯の並び方向と交差する方向に曲がり易い性質を有し、並列する２芯の並び方向と同じ方向には曲がり難い性質を有している。また、この電源コード５０は、並列する２芯の並び方向と同じ方向に沿った両側面は平面状（図１における図示符号５１）に形成されており、並列する２芯の並び方向と交差する方向に沿った両側面は円弧形状（図１における図示符号５２）に形成されている。つまり、電源コード５０のうち、この平面状の両側部分については撓み易い性質を有しており、それと交差する円弧状の両側部分については撓み難い性質を有している。つまり、図２および図３にも示すように、電源コード５０は、充電器１０における前後左右方向には曲がり易い性質を有し、充電器１０における上下方向には曲がり難い性質を有している。
【００１８】
図４および図５に示すように、引出し孔本体３１（引出し孔３０）に対して内部側に隣接する底蓋部材２０には、この引出し孔本体３１から引き出される電源コード５０を保持するコード保持部２１が形成されている。このコード保持部２１は、電源コード５０を迷路状経路に辿らせるように複数回屈曲させることにより、電源コード５０の引出し孔本体３１から引出し方向への移動を規制して、電源コード５０を保持するように機能する。具体的には、コード保持部２１は、概略、コード保持部２１の領域を設定する仕切り壁２３と、電源コード５０を迷路状経路に辿らせるように複数回屈曲させる経路を形成するコード経路壁２５とを備える。なお、これら仕切り壁２３とコード経路壁２５とは、筐体ケース１１の外側面１２をなす外側壁２４と同様、底蓋部材２０の一部として一体成形されて形成されている。
ところで、このコード経路壁２５の上側端縁２５５の高さ位置は、このコード保持部２１にて迷路状経路を辿らせるように収容した電源コード５０の平面状の両側面（図１における図示符号５１）の高さ位置よりも高くなる位置に設定されている。言い換えれば、コード経路壁２５の上側端縁２５５の高さ位置は、電源コード５０を確実にガイド支持することができるように、収容される電源コード５０の少なくとも平面状の両側面に当たることができる程度の高さ位置に設定されている。なお、この電源コード５０の平面状の両側面の高さ位置とは、最上端の円弧状側面の円弧形状（図１における図示符号５２）の部分を含まない高さ位置であることを意味する。このため、電源コード５０をコード保持部２１に辿らせて収容した場合には、このコード経路壁２５は電源コード５０を迷路状経路に辿らせるように複数回屈曲させて収容を保持することができる。なお、外側壁２４の上側端縁２４５の高さ位置および仕切り壁２３の上側端縁２３５の高さ位置は、上記したコード経路壁２５の上側端縁２５５の高さ位置よりも高くなる位置に設定されている。つまり、外側壁２４の上側端縁２４５の高さ位置および仕切り壁２３の上側端縁２３５の高さ位置は、このコード保持部２１に収容した電源コード５０の円弧状側面の上側端の高さ位置よりも高くなる位置に設定されている。なお、電源コード５０のうち、電源コード５０の上側端の高さ位置は、電源コード５０の平面状の両側面の高さ位置より、円弧状側面の円弧形状の部分だけ高くなる。
【００１９】
仕切り壁２３は、外側壁２４とともにコード保持部２１の領域を設定する隔壁として機能する。このため、この仕切り壁２３は、外側壁２４と同様、上記した筐体ケース本体１３に向かって起立して形成されている。このように仕切り壁２３と外側壁２４とにより隔てられたコード保持部２１には、コード経路壁２５が形成されている。このコード経路壁２５は、仕切り壁２３および外側壁２４と同様、上記した筐体ケース本体１３に向かって起立して形成されるものであり、電源コード５０の経路を複数回屈曲させるように機能する。このコード経路壁２５は、電源コード５０を迷路状経路にて辿らせるように、電源コード５０の経路を前後左右に複数回屈曲させるように形成されている。
具体的には、コード経路壁２５は、第１壁部２５１と、第２壁部２５２と、第３壁部２５３とを備える。なお、このコード経路壁２５のうち、第１壁部２５１および第２壁部２５２は、上記した仕切り壁２３と一体化して形成されている。これに対して、第３壁部２５３は、後に説明する引出し孔本体３１の後側ガイドリブ４１２（ガイドリブ４１）の内端部分と一体化して形成されている。具体的には、コード経路壁２５の第３壁部２５３は、略左右方向に延びる後側ガイドリブ４１２（ガイドリブ４１）に対して、この後側ガイドリブ４１２の内端部分を略後側に湾曲させて延在させることによって形成される。
ここで電源コード５０は、筐体ケース１１の内部から引出し孔３０に向かうまでの間で、第１壁部２５１と第２壁部２５２との間で左に向かって略９０度屈曲させられ、仕切り壁２３と第２壁部２５２との間で右に向かって略１８０度屈曲させられ、外側壁２４と第２壁部２５２との間で右に向かって略９０度屈曲させられ、仕切り壁２３と第２壁部２５２と第３壁部２５３との間で左に向かって１８０度旋回するように曲げられている。つまり、コード保持部２１は、電源コード５０を左右に複数回屈曲するように迷路状経路で辿らせ、もって電源コード５０を引出し孔３０からの引出し方向への移動を規制して電源コード５０を保持するように機能している。このようにしてコード保持部２１に保持された電源コード５０は、筐体ケース１１に設けられた引出し孔３０から、筐体ケース１１内部から外部に引き出されている。
【００２０】
次に、底蓋部材２０に設けられて引出し孔３０を構成する、引出し孔本体３１について説明する。なお、この底蓋部材２０に設けられる引出し孔本体３１は、本発明に係る引出し孔にて特定される機能的な形状の全てを有して形成されるものとなっている。このため、以下においては、この底蓋部材２０に設けられる引出し孔本体３１を説明することによって引出し孔３０自体を説明したものとする。
この引出し孔本体３１は、図４および図５に示すように、概略、開口部３３と、ガイドリブ４１とを備える。なお、後にも詳述するが、ガイドリブ４１を構成する後側ガイドリブ４１２の内端部分には、上記した第３壁部２５３が一体化されて形成されている。この第３壁部２５３は、上記したように後側ガイドリブ４１２の内端部分から略後側に湾曲させて延在させることによって形成されている。
図６は、この第１の実施の形態の電源コード５０における引っ張り荷重の作用点を示すため、引出し孔本体３１（引出し孔３０）および電源コード５０を模式的に簡略化して図示する簡略模式図となっている。すなわち、図６の左側上段図は、引出し孔本体３１（引出し孔３０）から開口する方向に従う方向で電源コード５０を引き出した場合の図である。図示符号Ｃは、引出し孔本体３１（引出し孔３０）から引き出された電源コード５０の引出し中心線である。また、図６の左側中段図は、電源コード５０が充電器１０の前側に引っ張られている場合の図である。また、図６の左側下段図は、電源コード５０が充電器１０の後側に引っ張られている場合の図である。また、図６の右側図は、電源コード５０が受けた引っ張り荷重の作用点の位置を示す図である。なお、図示符号Ｔ１，Ｔ２，Ｔ３，Ｔ４は、電源コード５０における引っ張り荷重の作用点である。
【００２１】
開口部３３は、図４および図５に示すように、引出し孔本体３１の開口形状の出口部分を構成する。このため、この開口部３３と外側壁２４との間には、これらの開口部３３と外側壁２４との境界をなす開口端縁３５が形成されることとなる。この開口端縁３５のうち図示規定される前側の開口端縁３５は、出口前側支持部位３５１として設定される。これに対し、図示規定される後側の開口端縁３５は、出口後側支持部位３５２として設定される。これら出口前側支持部位３５１および出口後側支持部位３５２は、本発明に係る出口支持部位に相当する部分である。このため、これら出口前側支持部位３５１および出口後側支持部位３５２は、引出し孔本体３１の開口形状において互いに対向する位置関係にあり、電源コード５０の引っ張り荷重を支持する支持部位として機能する。つまり、図６の左側中段図に示すように、電源コード５０が充電器１０の前側に引っ張られた場合には、引出し孔本体３１の出口形状のうち、出口前側支持部位３５１が電源コード５０の引っ張り荷重を支持する。これに対して図６の左側下段図に示すように、電源コード５０が充電器１０の後側に引っ張られた場合には、引出し孔本体３１の出口形状のうち出口後側支持部位３５２が電源コード５０の引っ張り荷重を支持する。
【００２２】
ところで、上記した開口端縁３５を形成する出口前側支持部位３５１および出口後側支持部位３５２は、図６の左側上段図に示すように、互いに相違する開き形状を有して形成されている。すなわち、この図６の左側上段図に示すように、出口前側支持部位３５１と出口後側支持部位３５２とは、引出し孔本体３１（引出し孔３０）から引き出される電源コード５０の引出し中心線Ｃを対称中心にして、互いに相違する非対称形状を有して形成されている。言い換えれば、出口前側支持部位３５１と出口後側支持部位３５２とは、開き形状を互いに相違する形状に設定することにより、互いに相違する非対称形状をなしている。なお、引出し孔本体３１（引出し孔３０）から引き出される電源コード５０の引出し中心線Ｃとは、図６の左側上段図に示すように、引出し孔本体３１が開口する方向に従った方向で電源コード５０を引き出した場合に、この引き出される電源コード５０の軸線が延びる方向にて設定されている。ここで、引出し孔本体３１（引出し孔３０）は、上記したように、開口部３３とガイドリブ４１とにより構成されるものであるため、この引き出される電源コード５０の軸線が延びる方向は、開口部３３とガイドリブ４１とによりガイドされて外部に引き出された電源コード５０の軸線が延びる方向である。なお、引出し孔本体３１（引出し孔３０）は、筐体ケース１１の外側面（外装面）１２に沿って設けられているのに対して、引出し孔本体３１（引出し孔３０）から引き出される電源コード５０の引出し中心線Ｃは、この筐体ケース１１の外側面（外装面）１２の延在方向と直交する方向に延びている。
ここで出口前側支持部位３５１と出口後側支持部位３５２との開き形状は、互いの開口端縁３５同士の開き傾斜角度を互いに相違する角度に設定することにより、互いに相違する非対称形状をなすものとしている。すなわち、図６の左側上段図に示すように、前側の開口端縁３５となる出口前側支持部位３５１は、引出し孔本体３１から退くような傾斜形状にて形成されている。このため、この出口前側支持部位３５１における引出し孔本体３１の開き状態は大きくなっている。これに対して、後側の開口端縁３５となる出口後側支持部位３５２は、前側の開口端縁３５となる出口前側支持部位３５１よりも、引出し孔本体３１の開き状態が小さくなるように、開き傾斜角度が鋭角となる角度に設定されて形成されている。このようにして、出口前側支持部位３５１と出口後側支持部位３５２との開き形状は、互いの開き傾斜角度を相違する角度に設定することにより、互いに相違する非対称形状をなしている。
なお、上記した出口前側支持部位３５１と出口後側支持部位３５２との開き形状は、互いの開口端縁３５同士の開き傾斜角度を互いに相違する角度に設定した略平面にて形成されるものであった。しかしながら、この出口前側支持部位３５１と出口後側支持部位３５２との開き形状を略曲面にて形成する場合には、互いの開口端縁３５同士の曲率半径を互いに相違する半径長に設定することによりなされる。
【００２３】
ガイドリブ４１は、図４および図５に示すように、引出し孔本体３１の開口形状の内周部分を構成する。このガイドリブ４１は、前側と後側とで電源コード５０に当たることにより電源コード５０の引出しをガイドする。ガイドリブ４１は、引出し孔本体３１の前側内周部分となる前側ガイドリブ４１１と、引出し孔本体３１の後側内周部分となる後側ガイドリブ４１２とを備える。ここで、前側ガイドリブ４１１の内周部位４３が内周前側支持部位４３１に設定されており、後側ガイドリブ４１２の内周部位が内周後側支持部位４３２に設定されている。これら内周前側支持部位４３１および内周後側支持部位４３２は、本発明に係る内周支持部位に相当する部分である。つまり、これら内周前側支持部位４３１および内周後側支持部位４３２は、引出し孔本体３１の開口形状において互いに対向する位置関係にあり、電源コード５０の引っ張り荷重を支持する支持部位として機能する。このため、図６の左側中段図に示すように、電源コード５０が前側に引っ張られた場合には、引出し孔本体３１の内周形状においては内周前側支持部位４３１が電源コード５０の引っ張り荷重を支持する。これに対して、図６の左側下段図に示すように、電源コード５０が後側に引っ張られた場合には、引出し孔本体３１の内周形状においては内周後側支持部位４３２が電源コード５０の引っ張り荷重を支持する。
ところで、内周前側支持部位４３１と内周後側支持部位４３２との開き形状は、互いの内周部位４３の内周面形状を互いに相違する形状に設定することにより、互いに相違する非対称形状をなすものとしている。具体的には、図６の左側上段図に示すように、内周前側支持部位４３１は面一形状にて形成したまま、内周後側支持部位４３２には内側に突出する突起部４５が設けられている。これにより、内周前側支持部位４３１と内周後側支持部位４３２とは、引出し孔本体３１から引き出される電源コード５０の引出し中心線Ｃを対称中心にして、互いに相違する非対称形状を有して形成されたものとなっている。つまり、突起部４５は、開き傾斜角度が鋭角となる出口後側支持部位３５２（開口端縁３５）側の内周後側支持部位４３２に設けられている。なお、この突起部４５は、内周後側支持部位４３２の開口部３３側近くにおいて設けられるものであり、凸状の突起にて形成されている。このようにして、内周前側支持部位４３１と内周後側支持部位４３２との開き形状は、内周後側支持部位４３２に突起部４５が形成されることにより、互いに相違する非対称形状をなしている。
【００２４】
上記した第１の実施の形態の引出し孔本体３１（引出し孔３０）によれば、電源コード５０が充電器１０の前側に引っ張られている場合には、図６の左側中段図に示すように、引っ張られる電源コード５０は、内周前側支持部位４３１と出口前側支持部位３５１とに当接して支持される。そうすると、電源コード５０には、この内周前側支持部位４３１と出口前側支持部位３５１とから反作用力を受ける。つまり、電源コード５０は、内周前側支持部位４３１と当たる点を第１作用点Ｔ１とし、出口前側支持部位３５１と当たる点を第２作用点Ｔ２とし、引っ張り荷重の反作用力が作用する。
これに対して、電源コード５０が充電器１０の後側に引っ張られている場合には、図６の左側下段図に示すように、引っ張られる電源コード５０は、内周後側支持部位４３２と出口後側支持部位３５２とに当接して支持される。そうすると、電源コード５０は、この内周後側支持部位４３２と出口後側支持部位３５２とから反作用力を受ける。つまり、電源コード５０は、内周後側支持部位４３２と当たる点を第３作用点Ｔ３とし、出口後側支持部位３５２と当たる点を第４作用点Ｔ４とし、引っ張り荷重の反作用力が作用する。
このようにして、図６の右側図に示すように、引っ張り荷重の反作用力が作用する第１作用点Ｔ１、第２作用点Ｔ２、第３作用点Ｔ３、第４作用点Ｔ４は、電源コード５０に対して互いに重なることの無いバラバラの位置にて位置することとなる。
【００２５】
図１０は、上記した第１の実施の形態の引出し孔３０と比較するための、従来の実施の形態の簡略模式図である。なお、図１０にあっても、電源コード５０における引っ張り荷重の作用点を示すため、引出し孔本体３１Ｚ（引出し孔３０Ｚ）および電源コード５０を模式的に簡略化して図示している。すなわち、図１０の左側上段図は、引出し孔本体３１Ｚ（引出し孔３０Ｚ）から開口する方向に従う方向で電源コード５０を引き出した場合の図である。図示符号Ｃは、引出し孔本体３１Ｚ（引出し孔３０Ｚ）から引き出された電源コード５０の引出し中心線である。また、図１０の左側中段図は、電源コード５０が充電器１０の前側に引っ張られている場合の図である。また、図１０の左側下段図は、電源コード５０が充電器１０の後側に引っ張られている場合の図である。また、図１０の右側図は、電源コード５０が受けた引っ張り荷重の作用点の位置を示す図である。なお、図示符号ＴＺは、電源コード５０における引っ張り荷重の作用点である。
図１０に示す引出し孔本体３１Ｚ（引出し孔３０Ｚ）の開口形状（出口部分（図示符号３５Ｚ）および内周部分（図示符号４３Ｚ））は、引き出される電源コード５０の引出し中心線Ｃを対称中心にして、互いに対称な形状にて形成されている。つまり、引出し孔本体３１Ｚ（引出し孔３０Ｚ）の開口形状のうち、互いに対向する位置関係にあって電源コード５０の引っ張り荷重を支持する支持部位同士は、電源コード５０の引出し中心線Ｃを対称中心にして互いに一致する対称形状にて形成されている。このため、図１０の左側中段図および左側下段図に示すように、電源コード５０が前後いずれの方向で引っ張られる場合でも、引っ張り荷重の作用点ＴＺは、図１０の右側図に示すように一点に集中することとなる。
【００２６】
このようにして、上記した電源コード５０の配設構造Ｓ１によれば、次のような作用効果を奏することができる。
すなわち、上記した電源コード５０の配設構造Ｓ１よれば、図６に示すように、引出し孔本体３１（引出し孔３０）の開口形状のうち互いに対向する位置関係にある支持部位（出口前側支持部位３５１および出口後側支持部位３５２、内周前側支持部位４３１および内周後側支持部位４３２）が、電源コード５０の引っ張り荷重を支持する。このため、電源コード５０は、これらの支持部位（出口前側支持部位３５１および出口後側支持部位３５２、内周前側支持部位４３１および内周後側支持部位４３２）から引っ張り荷重に相当する反作用力を受ける。ここで、これらの支持部位（出口前側支持部位３５１および出口後側支持部位３５２、内周前側支持部位４３１および内周後側支持部位４３２）同士は、電源コード５０の引出し中心線Ｃを対称中心にして互いに相違する非対称形状を有して形成されている。これによって、電源コード５０を相違する前後方向で引っ張った場合には、電源コード５０における支持部位から受ける引っ張り荷重（反作用力）の作用点（第１作用点Ｔ１，第２作用点Ｔ２，第３作用点Ｔ３，第４作用点Ｔ４）の位置は、互いに重なることなく相違する位置にずらされる。したがって、従来のように電源コード５０が受ける引っ張り荷重の作用点（図１０の符号ＴＺ）の位置を一点に集中しないように分散することができ、電源コード５０が金属疲労してしまうのを抑制できる。もって、底蓋部材２０（筐体ケース１１）に設けられた引出し孔本体３１（引出し孔３０）を支持点として電源コード５０が充電器１０の前後方向に屈曲する場合に、この屈曲による電源コード５０の劣化時期を遅らせることができて、電源コード５０の使用寿命を延ばすことができる。
【００２７】
また、上記した電源コード５０の配設構造Ｓ１によれば、図６に示すように、出口支持部位（出口前側支持部位３５１および出口後側支持部位３５２）同士は、出口支持部位（出口前側支持部位３５１および出口後側支持部位３５２）同士の開き形状を互いに相違する形状に設定することにより、互いに相違する非対称形状をなしている。これにより、電源コード５０を相違する引っ張り方向で引っ張った場合には、電源コード５０における出口支持部位（出口前側支持部位３５１および出口後側支持部位３５２）から受ける引っ張り荷重の作用点の位置を互いに重ねることなく相違する位置にずらすことができる。これによって、電源コード５０が受ける引っ張り荷重の作用点集中を避けるにあたって、引出し孔本体３１の外部形状を調整するだけで簡単に設計することができる。
また、上記した電源コード５０の配設構造Ｓ１によれば、図６に示すように、内周支持部位同士（内周前側支持部位４３１および内周後側支持部位４３２）は、内側に突出する突起部４５を内周後側支持部位４３２のみに設けることにより、互いに相違する非対称形状をなしている。これにより、電源コード５０を相違する引っ張り方向で引っ張った場合には、電源コード５０における内周支持部位（内周前側支持部位４３１および内周後側支持部位４３２）から受ける引っ張り荷重の作用点の位置を互いに重ねることなく相違する位置にずらすことができる。つまり、この突起部４５は、引出し孔本体３１から引き出される電源コード５０の経路をずらすように作用することができ、この経路のずれによって電源コード５０における引っ張り荷重の作用点の位置を互いに重ねることなく相違する位置にずらすことができる。これによって、電源コード５０が受ける引っ張り荷重の作用点集中を避けるにあたって、引出し孔本体３１の内部形状を調整するだけで簡単に設計することができる。
【００２８】
また、上記した電源コード５０の配設構造Ｓ１によれば、図６に示すように、出口支持部位同士（出口前側支持部位３５１および出口後側支持部位３５２）の開き形状は、互いの開口端縁３５同士を互いに相違する開き傾斜角度に設定することにより互いに相違する非対称形状をなしている。これにより、電源コード５０を相違する引っ張り方向で引っ張った場合には、電源コード５０における出口支持部位（出口前側支持部位３５１および出口後側支持部位３５２）から受ける引っ張り荷重の作用点（第２作用点Ｔ２，第４作用点Ｔ４）の位置は、開き傾斜角度の相違によって互いに重なることなく相違する位置にずらされたものとなる。また、上記した電源コード５０の配設構造Ｓ１によれば、突起部４５は開き傾斜角度の小さい開口端縁３５側の内周後側支持部位４３２にのみ設けられているので、開き傾斜角度が小さいことにより鋭角に屈曲する電源コード５０の屈曲経路を突起部４５により緩やかな経路にずらすことができる。これによって、屈曲経路を緩やかな経路とすることができ、電源コード５０における引っ張り荷重の作用点（第１作用点Ｔ１，第３作用点Ｔ３）の位置を、互いに重ねることなく相違する位置にずらすことができる。
また、上記した電源コード５０の配設構造Ｓ１によれば、図４および図５に示すように、コード保持部２１には電源コード５０の経路が複数回屈曲するようにコード経路壁２５が設けられているので、コード経路壁２５により複数回屈曲する経路を電源コード５０に辿らせることによって引出し孔本体３１からの電源コード５０の引出し方向への移動を規制して電源コード５０を保持することができる。これによって、筐体ケース１１に対して電源コード５０をクランプするクランプ部材を必要とせずに、筐体ケース１１に対する電源コード５０の抜けを防止することができる。もって、製造上の構成部品点数の削減を図ることができる。
また、上記した電源コード５０の配設構造Ｓ１によれば、図４および図５に示すように、コード経路壁２５の上側端縁２５５は、経路を辿らせた電源コード５０の平面状の両側部分（図１における図示符号５１）の高さ位置よりも高い位置にて設定されているので、コード経路壁２５が電源コード５０の両側面に接面することができ、電源コード５０を所望の経路上において保持し易くする。これによって、筐体ケース本体１３と底蓋部材２０とを合体させることにより筐体ケース１１を構成する場合であっても、これら筐体ケース本体１３と底蓋部材２０との合体時に電源コード５０が噛み込まれる（ピンチング）ような、電源コード５０が分割構成体の間に挟み込まれてしまうのを防止することができる。もって、製造作業時の利便性を高めることができる。
【００２９】
［第２の実施の形態］
上記した第１の実施の形態となる電源コード５０の配設構造Ｓ１は、次の第２の実施の形態のように構成されるものであってもよい。なお、以下において説明する第２の実施の形態となる電源コード５０の配設構造Ｓ２において、上記した第１の実施の形態となる電源コード５０の配設構造Ｓ１と同一に構成される部分については、同一符号を付して説明を省略する。
図７は、上記した第１の実施の形態の引出し孔３０と比較するための第２の実施の形態を示す簡略模式図である。なお、図７にあっても、電源コード５０における引っ張り荷重の作用点を示すため、引出し孔本体３１Ａ（引出し孔３０Ａ）および電源コード５０を模式的に簡略化して図示している。
すなわち、図７の左側上段図は、引出し孔本体３１Ａ（引出し孔３０Ａ）から開口する方向に従う方向で電源コード５０を引き出した場合の図である。図示符号Ｃは、引出し孔本体３１Ａ（引出し孔３０Ａ）から引き出された電源コード５０の引出し中心線である。また、図７の左側中段図は、電源コード５０が充電器１０の前側に引っ張られている場合の図である。また、図７の左側下段図は、電源コード５０が充電器１０の後側に引っ張られている場合の図である。また、図７の右側図は、電源コード５０が受けた引っ張り荷重の作用点の位置を示す図である。なお、図示符号Ｔ１，Ｔ２，Ｔ５は、電源コード５０における引っ張り荷重の作用点である。
【００３０】
この第２の実施の形態の電源コード５０の配設構造Ｓ２は、上記した第１の実施の形態の電源コード５０の配設構造Ｓ１と比較して、非対称形状となっていた内周前側支持部位４３１および内周後側支持部位４３２Ａの形状が対称形状となっている点で相違する。具体的には、上記した第１の実施の形態の電源コード５０の配設構造Ｓ１にあっては、内側に突出する突起部４５が内周後側支持部位４３２に設けられていたところ、この第２の実施の形態の電源コード５０の配設構造Ｓ２にあっては、内周後側支持部位４３２Ａに突起部４５が配設されているのが廃止されている。つまり、内周前側支持部位４３１と内周後側支持部位４３２Ａとは、引出し孔本体３１Ａから引き出される電源コード５０の引出し中心線Ｃを対称中心にして、互いに対称な形状にて形成されている。これに対して、出口前側支持部位３５１と出口後側支持部位３５２とは、上記した第１の実施の形態と同様、引出し孔本体３１Ａ（引出し孔３０Ａ）から引き出される電源コード５０の引出し中心線Ｃを対称中心にして、互いに相違する非対称形状を有して形成されている。
この第２の実施の形態の電源コード５０の配設構造Ｓ２によれば、上記した第１の実施の形態の電源コード５０の配設構造Ｓ１と同様の作用効果を奏することができる。すなわち、上記した電源コード５０の配設構造Ｓ２によれば、図７に示すように、これらの支持部位（出口前側支持部位３５１および出口後側支持部位３５２）同士は、電源コード５０の引出し中心線Ｃを対称中心にして互いに相違する非対称形状を有して形成されている。これによって、電源コード５０を相違する前後方向で引っ張った場合には、電源コード５０における支持部位から受ける引っ張り荷重（反作用力）の作用点（第１作用点Ｔ１，第２作用点Ｔ２，第５作用点Ｔ５）の位置は、互いに重なることなく相違する位置にずらされる。したがって、従来のように電源コード５０が受ける引っ張り荷重の作用点（図１０の符号ＴＺ）の位置を一点に集中しないように分散することができ、電源コード５０が金属疲労してしまうのを抑制できる。もって、底蓋部材２０（筐体ケース１１）に設けられた引出し孔本体３１Ａ（引出し孔３０Ａ）を支持点として電源コード５０が充電器１０の前後方向に屈曲する場合に、この屈曲による電源コード５０の劣化時期を遅らせることができて、電源コード５０の使用寿命を延ばすことができる。
【００３１】
［第３の実施の形態］
上記した第１の実施の形態となる電源コード５０の配設構造Ｓ１は、次の第３の実施の形態のように構成されるものであってもよい。なお、以下において説明する第３の実施の形態となる電源コード５０の配設構造Ｓ３において、上記した第１の実施の形態となる電源コード５０の配設構造Ｓ１と同一に構成される部分については、同一符号を付して説明を省略する。
図８は、上記した第１の実施の形態の引出し孔３０と比較するための第３の実施の形態を示す簡略模式図である。なお、図８にあっても、電源コード５０における引っ張り荷重の作用点を示すため、引出し孔本体３１Ｂ（引出し孔３０Ｂ）および電源コード５０を模式的に簡略化して図示している。
すなわち、図８の左側上段図は、引出し孔本体３１Ｂ（引出し孔３０Ｂ）から開口する方向に従う方向で電源コード５０を引き出した場合の図である。図示符号Ｃは、引出し孔本体３１Ｂ（引出し孔３０Ｂ）から引き出された電源コード５０の引出し中心線である。また、図８の左側中段図は、電源コード５０が充電器１０の前側に引っ張られている場合の図である。また、図８の左側下段図は、電源コード５０が充電器１０の後側に引っ張られている場合の図である。また、図８の右側図は、電源コード５０が受けた引っ張り荷重の作用点の位置を示す図である。なお、図示符号Ｔ３，Ｔ４，Ｔ６は、電源コード５０における引っ張り荷重の作用点である。
【００３２】
この第３の実施の形態の電源コード５０の配設構造Ｓ３は、上記した第１の実施の形態の電源コード５０の配設構造Ｓ１と比較して、非対称形状となっていた出口前側支持部位３５１Ｂおよび出口後側支持部位３５２の形状が対称形状となっている点で相違する。具体的には、上記した第１の実施の形態の電源コード５０の配設構造Ｓ１は、出口前側支持部位３５１Ｂおよび出口後側支持部位３５２の開き傾斜角度を互いに相違する角度に設定することにより、互いに相違する非対称形状をなしていた。しかしながら、この第３の実施の形態の電源コード５０の配設構造Ｓ３は、出口前側支持部位３５１Ｂおよび出口後側支持部位３５２の開き傾斜角度を互いに同一となる角度に設定することにより、互いに対称形状となるように形成されている。つまり、出口前側支持部位３５１Ｂと出口後側支持部位３５２とは、引出し孔本体３１Ｂから引き出される電源コード５０の引出し中心線Ｃを対称中心にして、互いに対称な形状にて形成されている。これに対して、内周前側支持部位４３１と内周後側支持部位４３２との開き形状は、上記した第１の実施の形態と同様、引出し孔本体３１Ｂ（引出し孔３０Ｂ）から引き出される電源コード５０の引出し中心線Ｃを対称中心にして、互いに相違する非対称形状を有して形成されている。つまり、内周前側支持部位４３１は面一形状にて形成したまま、内周後側支持部位４３２には内側に突出する突起部４５が設けられている。
この第３の実施の形態の電源コード５０の配設構造Ｓ３によれば、上記した第１の実施の形態の電源コード５０の配設構造Ｓ３と同様の作用効果を奏することができる。すなわち、上記した電源コード５０の配設構造Ｓ３によれば、図８に示すように、これらの支持部位（内周前側支持部位４３１および内周後側支持部位４３２）同士は、電源コード５０の引出し中心線Ｃを対称中心にして互いに相違する非対称形状を有して形成されている。これによって、電源コード５０を相違する前後方向で引っ張った場合には、電源コード５０における支持部位から受ける引っ張り荷重（反作用力）の作用点（第３作用点Ｔ３，第４作用点Ｔ４，第６作用点Ｔ６）の位置は、互いに重なることなく相違する位置にずらされる。したがって、従来のように電源コード５０が受ける引っ張り荷重の作用点（図１０の符号ＴＺ）の位置を一点に集中しないように分散することができ、電源コード５０が金属疲労してしまうのを抑制できる。もって、底蓋部材２０（筐体ケース１１）に設けられた引出し孔本体３１Ｂ（引出し孔３０Ｂ）を支持点として電源コード５０が充電器１０の前後方向に屈曲する場合に、この屈曲による電源コード５０の劣化時期を遅らせることができて、電源コード５０の使用寿命を延ばすことができる。
【００３３】
［第４の実施の形態］
上記した第２の実施の形態となる電源コード５０の配設構造Ｓ２は、次の第４の実施の形態のように構成されるものであってもよい。なお、以下において説明する第４の実施の形態となる電源コード５０の配設構造Ｓ４において、上記した第２の実施の形態となる電源コード５０の配設構造Ｓ２と同一に構成される部分については、同一符号を付して説明を省略する。
図９は、上記した第２の実施の形態の引出し孔３０Ａと比較するための第４の実施の形態を示す簡略模式図である。なお、図９にあっても、電源コード５０における引っ張り荷重の作用点を示すため、引出し孔本体３１Ｃ（引出し孔３０Ｃ）および電源コード５０を模式的に簡略化して図示している。
すなわち、図９の左側上段図は、引出し孔本体３１Ｃ（引出し孔３０Ｃ）から開口する方向に従う方向で電源コード５０を引き出した場合の図である。図示符号Ｃは、引出し孔本体３１Ｃ（引出し孔３０Ｃ）から引き出された電源コード５０の引出し中心線である。また、図９の左側中段図は、電源コード５０が充電器１０の前側に引っ張られている場合の図である。また、図９の左側下段図は、電源コード５０が充電器１０の後側に引っ張られている場合の図である。また、図９の右側図は、電源コード５０が受けた引っ張り荷重の作用点の位置を示す図である。なお、図示符号Ｔ７，Ｔ８は、電源コード５０における引っ張り荷重の作用点である。
【００３４】
この第４の実施の形態の電源コード５０の配設構造Ｓ４は、上記した第２の実施の形態の電源コード５０の配設構造Ｓ２と比較して、出口前側支持部位３５１Ｃおよび出口後側支持部位３５２Ｃの非対称形状が、段差形状にて形成される点で相違する。具体的には、上記した第１の実施の形態の電源コード５０の配設構造Ｓ１は、出口前側支持部位３５１および出口後側支持部位３５２の開き傾斜角度を互いに相違する角度に設定することにより、互いに相違する非対称形状をなしていた。しかしながら、この第３の実施の形態の電源コード５０の配設構造Ｓ４は、出口後側支持部位３５２Ｃに対して出口前側支持部位３５１Ｃが一段外側に張り出すように形成されている。つまり、内周前側支持部位４３１と内周後側支持部位４３２Ａとは、引出し孔本体３１Ｃから引き出される電源コード５０の引出し中心線Ｃを対称中心にして、互いに対称な形状にて形成されている。これに対して、出口前側支持部位３５１Ｃと出口後側支持部位３５２Ｃとは、互いの間に形成される段差により、引出し孔本体３１Ｃ（引出し孔３０Ｃ）から引き出される電源コード５０の引出し中心線Ｃを対称中心にして、互いに相違する非対称形状を有して形成されている。
この第４の実施の形態の電源コード５０の配設構造Ｓ４によれば、上記した第１の実施の形態の電源コード５０の配設構造Ｓ１と同様の作用効果を奏することができる。すなわち、上記した電源コード５０の配設構造Ｓ４によれば、図９に示すように、これらの支持部位（出口前側支持部位３５１Ｃおよび出口後側支持部位３５２Ｃ）同士は、電源コード５０の引出し中心線Ｃを対称中心にして互いに相違する非対称形状を有して形成されている。これによって、電源コード５０を相違する前後方向で引っ張った場合には、電源コード５０における支持部位から受ける引っ張り荷重（反作用力）の作用点（第７作用点Ｔ７，第８作用点Ｔ８）の位置は、互いに重なることなく相違する位置にずらされる。したがって、従来のように電源コード５０が受ける引っ張り荷重の作用点（図１０の符号ＴＺ）の位置を一点に集中しないように分散することができ、電源コード５０が金属疲労してしまうのを抑制できる。もって、底蓋部材２０（筐体ケース１１）に設けられた引出し孔本体３１Ｃ（引出し孔３０Ｃ）を支持点として電源コード５０が充電器１０の前後方向に屈曲する場合に、この屈曲による電源コード５０の劣化時期を遅らせることができて、電源コード５０の使用寿命を延ばすことができる。
【００３５】
なお、本発明に係る電源コードの配設構造にあっては、上記した実施の形態に限定されるものではなく、次のように適宜個所を変更して構成するようにしてもよい。
すなわち、上記した実施の形態においては、電源コード５０の配設構造Ｓ１，Ｓ２，Ｓ３，Ｓ４として、電源コード５０が具備される充電器１０を例示して説明するものであった。しかしながら、本発明に係る電気機器としては、このような充電器１０に限定されることなく、電源コード５０を具備して構成される電気機器であればよいものである。つまり、本発明に係る電源コードの配設構造は、様々に構成される電気機器に対して利用することができる技術である。
また、本発明に係る電源コードの引っ張り荷重を支持する支持部位同士の非対称形状としては、上記した実施の形態の態様に限定されることなく、引出し孔３０から引き出される電源コード５０の引出し中心線Ｃを対称中心にして互いに相違する非対称形状を有して形成されていれば、適宜の非対称形状を選択することができる。つまり、互いの開口端縁同士の開き傾斜角度を互いに相違する傾斜角度に設定したり、互いの開口端縁同士に段差を設けることにより互いに相違する外形状に設定したり、互いの内周部位同士の内周面形状を適宜に変形させることにより互いに相違する内形状に設定したりするものであってもよい。例えば上記した第１の実施の形態では、出口前側支持部位３５１と出口後側支持部位３５２との開き形状は、互いの開口端縁３５同士の開き傾斜角度を互いに相違する角度に設定した略平面にて形成されるものであった。しかしながら、本発明に係る出口支持部位の開き形状は、このような略平面の形状に限定されることなく、互いの開口端縁同士の曲率半径を互いに相違する曲率半径とした曲面にて形成されるものであってもよい。
【符号の説明】
【００３６】
１０  充電器（電気機器）
１１  筐体ケース
１２  外側面
１３  筐体ケース本体
１５  バッテリ装着部
２０  底蓋部材
２１  コード保持部
２３  仕切り壁
２３５  仕切り壁の上側端縁
２４  外側壁
２４５  外側壁の上側端縁
２５  コード経路壁
２５１  第１壁部
２５２  第２壁部
２５３  第３壁部
２５５  コード経路壁の上側端縁
３０，３０Ａ，３０Ｂ，３０Ｃ  引出し孔
３１，３１Ａ，３１Ｂ，３１Ｃ  引出し孔本体
３３  開口部
３５  開口端縁
３５１  出口前側支持部位
３５２  出口後側支持部位
４１  ガイドリブ
４１１  前側ガイドリブ
４１２  後側ガイドリブ
４３  ガイドリブの内周部位
４３１  内周前側支持部位
４３２  内周後側支持部位
４５  突起部
４７  引出し孔上部
５０  電源コード
Ｓ１，Ｓ２，Ｓ３，Ｓ４  電源コードの配設構造
Ｔ１，Ｔ２，Ｔ３，Ｔ４，Ｔ５，Ｔ６，Ｔ７  （反作用）力の作用点
Ｂ  バッテリパック
【図１】
0005579571.tif 000002
【図２】
0005579571.tif 000003
【図３】
0005579571.tif 000004
【図４】
0005579571.tif 000005
【図５】
0005579571.tif 000006
【図６】
0005579571.tif 000007
【図７】
0005579571.tif 000008
【図８】
0005579571.tif 000009
【図９】
0005579571.tif 000010
【図１０】
0005579571.tif 000011